(57)【要約】【課題】簡易な構成により安価で量産可能であるとともに、ポケットティッシュを極めて簡便に収納することのできる、使い勝手のよいポケットティッシュケースを提供する。【解決手段】ポケットティッシュを収納可能なポケットティッシュケースにおいて、合成樹脂の一体成形により、１つのポケットティッシュを収納可能な内部空間を有するようにして、上面にポケットティッシュからティッシュペーパーを取り出すための開口部を形成するとともに、底面側にポケットティッシュの落下を防ぐための底板とポケットティッシュを内部に挿入可能な開口部とを形成した。【選択図】        図１
0003125315.tif 000002
【実用新案登録請求の範囲】
【請求項１】
ポケットティッシュを収納可能なポケットティッシュケースにおいて、
合成樹脂の一体成形により、１つのポケットティッシュを収納可能な内部空間を有するようにして、上面にポケットティッシュからティッシュペーパーを取り出すための開口部を形成するとともに、底面側にポケットティッシュの落下を防ぐための底板とポケットティッシュを内部に挿入可能な開口部とを形成した
ことを特徴とするポケットティッシュケース。
【請求項２】
請求項１に記載のポケットティッシュケースにおいて、さらに、
広告の印刷されたシート材を着脱自在に配設した
ことを特徴とするポケットティッシュケース。
【請求項３】
請求項２に記載のポケットティッシュケースにおいて、
前記上面の対向する両方の端部に、前記シート材の移動を制限する凸部を形成した
ことを特徴とするポケットティッシュケース。
【請求項４】
請求項１、２または３のいずれか１項に記載のポケットティッシュケースにおいて、
前記開口部は、幅方向では長方形に開口をし、長手方向では長方形に開口した側端部が楕円状の略十字形状である
ことを特徴とするポケットティッシュケース。
【請求項５】
請求項１、２、３または４のいずれか１項に記載のポケットティッシュケースにおいて、
前記底板は、前記開口部と略同一の形状を備えかつ前記開口部より小さい
ことを特徴とするポケットティッシュケース。
【請求項６】
請求項１、２、３、４または５のいずれか１項に記載のポケットティッシュケースにおいて、
前記合成樹脂は生分解性樹脂である
ことを特徴とするポケットティッシュケース。
【請求項７】
請求項１、２、３、４および５のいずれか１項に記載のポケットティッシュケースにおいて、
前記合成樹脂はマイナスイオンを発生する鉱石の粉末を含有する
ことを特徴とするポケットティッシュケース。
【考案の詳細な説明】
【技術分野】
【０００１】
本考案は、ポケットティッシュケースに関し、さらに詳細には、ポケットティッシュを簡便に収納することのできるポケットティッシュケースに関する。
【背景技術】
【０００２】
従来より、ポケットティッシュは低コストで生産できる販売促進効果のある広告媒体として、広く一般に用いられている。
【０００３】
こうしたポケットティッシュは、企業などがターゲットとしている層を中心に街中で配布されているが、このように街中で簡単に入手できるポケットティッシュは携帯用として使用することが中心となり、使い切らずに多くのポケットティッシュは家に溜まってしまい、その処理に困り廃棄してしまうこともあった。
【０００４】
また、ポケットティッシュは携帯中はバッグやポケットにそのまま入れられることが多く、形状がくずれミシン目の開口部が開いてしまったり、袋が破けてしまって未使用のティッシュペーパーが開口部よりはみ出してしまう場合があり、ティッシュペーパーの使用目的上、衛生的に好ましくないという問題点があった。
【０００５】
上記のような問題点を解決する手段として、例えば、ポケットティッシュを収納するための木製、布製、紙製あるいはプラスチック製などのケースが用いられている。
【０００６】
即ち、このようなポケットティッシュを収納するためのケース（本明細書においては、「ポケットティッシュを収納するためのケース」を「ポケットティッシュケース」と称する。）を用いれば、溜まったポケットティッシュを仕事場や家庭で使用できるようになり、配布されたポケットティッシュは有効に利用されることとなり好都合である。
【０００７】
このため、簡易な構成により安価で量産可能であるとともに、ポケットティッシュを極めて簡便に収納することのできる、使い勝手のよいポケットティッシュケースの提案が強く望まれていた。
【０００８】
一方、ポケットティッシュを広告媒体として用いる企業としては、配られるポケットティッシュをポケットティッシュケースに入れられてしまうと広告が見えなくなってしまうため、広告効果を減殺することのないポケットティッシュケースの提案が強く望まれていた。
【０００９】
なお、本願出願人が実用新案登録出願時に知っている先行技術は、上記において説明したようなものであって文献公知考案に係る考案でないため、記載すべき先行技術情報はない。
【考案の開示】
【考案が解決しようとする課題】
【００１０】
本考案は、従来の技術の有する上記したような種々の問題点や要望に鑑みてなされたものであり、その目的とするところは、簡易な構成により安価で量産可能であるとともに、ポケットティッシュを極めて簡便に収納することのできる、使い勝手のよいポケットティッシュケースを提供しようとするものである。
【００１１】
また、本考案の目的とするところは、ポケットティッシュを卓上で使用する場合、ティッシュペーパーを片手で取り出すことのできる安定性のあるポケットティッシュケースを提供しようとするものである。
【００１２】
さらに、本考案の目的とするところは、広告効果を減殺することのないポケットティッシュケースを提供しようとするものである。
【課題を解決するための手段】
【００１３】
上記目的を達成するために、本考案によるポケットティッシュケースは、インジェクション成型により最小限の金型構成による単一部材より形成するようにしたものである。
【００１４】
また、本考案によるポケットティッシュケースは、広告を印刷した紙やフィルムを組み合わせることによって高級感のある広告媒体となるようにしたものである。
【００１５】
例えば、本考案によるポケットティッシュケースの原料となる合成樹脂として、生分解性樹脂やマイナスイオンを発生する粉末を含有する樹脂などを用いると、当該ポケットティッシュケースに組み合わされる紙やフィルムに印刷した広告が環境や健康に関連したものである場合には、その広告に付加価値を付けることができ、高い広告効果を得ることができるようになる。
【００１６】
即ち、本考案のうち請求項１に記載の考案は、ポケットティッシュを収納可能なポケットティッシュケースにおいて、合成樹脂の一体成形により、１つのポケットティッシュを収納可能な内部空間を有するようにして、上面にポケットティッシュからティッシュペーパーを取り出すための開口部を形成するとともに、底面側にポケットティッシュの落下を防ぐための底板とポケットティッシュを内部に挿入可能な開口部とを形成するようにしたものである。
【００１７】
また、本考案のうち請求項２に記載の考案は、本考案のうち請求項１に記載の考案において、さらに、広告の印刷されたシート材を着脱自在に配設したするようにしたものである。
【００１８】
また、本考案のうち請求項３に記載の考案は、本考案のうち請求項２に記載の考案において、上記上面の対向する両方の端部に、上記シート材の移動を制限する凸部を形成するようにしたものである。
【００１９】
また、本考案のうち請求項４に記載の考案は、本考案のうち請求項１、２または３のいずれか１項に記載の考案において、上記開口部は、幅方向では長方形に開口をし、長手方向では長方形に開口した側端部が楕円状の略十字形状であるようにしたものである。
【００２０】
また、本考案のうち請求項５に記載の考案は、本考案のうち請求項１、２、３または４のいずれか１項に記載の考案において、上記底板は、上記開口部と略同一の形状を備えかつ上記開口部より小さくしたものである。
【００２１】
また、本考案のうち請求項６に記載の考案は、本考案のうち請求項１、２、３、４または５のいずれか１項に記載の考案において、上記合成樹脂を生分解性樹脂としたものである。
【００２２】
また、本考案のうち請求項７に記載の考案は、本考案のうち請求項１、２、３、４および５のいずれか１項に記載の考案において、上記合成樹脂はマイナスイオンを発生する鉱石の粉末を含有するようにしたものである。
【考案の効果】
【００２３】
本考案は、以上説明したように構成されているので、簡易な構成により安価で量産可能であるとともに、ポケットティッシュを極めて簡便に収納することのできる、使い勝手のよいポケットティッシュケースを提供することができるという優れた効果を奏する。
【００２４】
また、本考案は以上説明したように構成されているので、ポケットティッシュを卓上で使用する場合、ティッシュペーパーを片手で取り出すことのできる安定性のあるポケットティッシュケースを提供することができるという優れた効果を奏する。
【００２５】
さらに、本考案は、以上説明したように構成されているので、広告を印刷した紙やフィルムを組み合わせることによって、高級感のある広告媒体とすることができるという優れた効果を奏する。
【考案を実施するための最良の形態】
【００２６】
以下、添付の図面を参照しながら本考案によるポケットティッシュケースの実施の形態の一例を詳細に説明するものとする。
【００２７】
まず、図１乃至図８を参照しながら、本考案によるポケットティッシュケースの第１の実施の形態について説明すると、このポケットティッシュケース１０は、中空の略直方体形状を備えており、ポリエチレンやポリプロピレンなどの任意の合成樹脂により形成されている。
【００２８】
ポケットティッシュケース１０は、その中空状の内部にポケットティッシュ２００を１つ収納可能な大きさを備えており、その上面２０には、内部に収納されたポケットティッシュ２００のミシン目状開口部２０２から抜き出されるティッシュペーパー２０４を、外部へ取り出すための開口部２４が形成されている。
【００２９】
ここで、開口部２４は、略十字形状を備えている。この略十字形状の開口部２４は、より詳細には、ポケットティッシュケース１０の幅方向において対向する長手方向側面１６、１８に渡る長方形状で開口し、ポケットティッシュケース１０の長手方向において中心から２／３程度の所まで開口するとともに両方の端部２４ａは楕円状に形成されている（図１、図３参照）。
【００３０】
また、ポケットティッシュケース１０の底面側には、中空状の内部に収納したポケットティッシュが２００が落下することのないように底板２８が配設されている。この底板２８は、上面２０に形成された開口部２４と略同一の形状を備えている（図２、図４参照）。
【００３１】
なお、ポケットティッシュケース１０の底面側において、底板２８以外の部位は開口部２６とされており、この開口部２６よりポケットティッシュの挿入および取り出しを行うことができるようになされている。
【００３２】
また、一方の幅方向側面１２は、図５に示すように略矩形形状を備えており、対向する他方の幅方向側面１４も幅方向側面１２と同一の形状を備えている。
【００３３】
そして、一方の長手方向側面１６は、図６に示すように上面２０からの開口部２４が中心の上部に位置するように形成された略矩形形状を備えており、対向する他方の長手方向側面１８も長手方向側面１６と同一の形状を備えている。
【００３４】
なお、上面２０と幅方向側面１２、１４および長手方向側面１６、１８との接続部分は、直角ではなく緩やかな曲面形状に形成されており、同様に、幅方向側面１２、１４と長手方向側面１６、１８との接続部分も緩やかな曲面形状に形成されている。
【００３５】
一方、底板２８と長手方向側面１６、１８との接続部分は、直角形状に形成されているが、これに限られることはなく、上記の接続部位と同様に曲面形状に形成してもよい。
【００３６】
ここで、図７（ａ）には図１のＡ−Ａ線による断面構成説明図が示され、図７（ｂ）には図１のＢ−Ｂ線による断面構成説明図が示されている。
【００３７】
上記したように、底板２８は開口部２４と略同一の形状に形成されているが、図７（ａ）に示されているように、開口部２６からポケットティッシュを挿入しやすいように上面２０に設けられた開口部２４より若干小さく形成されている。
【００３８】
以上の構成において、ポケットティッシュケース１０を使用するには、ポケットティッシュを包装されている袋から出すことなく、単に開口部２６よりポケットティッシュ２００をポケットティッシュケース１０の中空状の内部に挿入すればよい。
【００３９】
従って、ポケットティッシュ２００をポケットティッシュケース１０へ極めて簡便に収納することができ、使い勝手がよい。
【００４０】
このとき、挿入するポケットティッシュ２００は予めミシン目により切り込みを入れられたミシン目状開口部２０２を開き、ミシン目状開口部２０２からティッシュペーパー２０４を取り出せる状態で挿入してもよいし、あるいは、挿入する前にミシン目状開口部２０２を開かず、挿入後にポケットティッシュケース１０の開口部２４から指を入れて、ポケットティッシュケース１０の中で開くようにしてもよい。
【００４１】
そして、ポケットティッシュ２００からティッシュペーパー２０４を抜き出すには、ポケットティッシュケース１０の開口部２４から指を入れて、ミシン目状開口部２０２からティッシュペーパー２０４を抜き出し、ポケットティッシュケース１０の外部へ取り出すようにする。
【００４２】
こうしたポケットティッシュケース１０は、上記したような簡易な構成ならびに形状よりなるものであるので、インジェクション金型による射出成型により一体成形が可能となり、安価に大量生産することができる。
【００４３】
また、ポケットティッシュケース１０は、単一部材により形成されていることから、組み立てなどの工程がなく製造コストを低減することができる。
【００４４】
さらに、ポケットティッシュ２００を卓上で使用する場合に、ポケットティッシュ２００だけでは軽量のためティッシュペーパー２０４を片手で１枚ずつ取り出すことは難しいが、ポケットティッシュ２００をポケットティッシュケース１０に収納することによって重さと安定性が得られ、片手でティッシュペーパー２０４を取り出すことができるようになる。
【００４５】
次に、ポケットティッシュケース１０の外装について説明する。即ち、ポケットティッシュケース１０は、図８に示すように紙やフィルムなどに広告などを印刷したシート材３０を組み合わせ、このシート材３０をポケットティッシュケース１０の外周に被覆することにより、販売促進用として有効な広告媒体として用いることができる。
【００４６】
このシート材３０は、例えば、表面に広告を印刷された紙であって、展開すると図９に示すような形状を備えている。
【００４７】
即ち、シート材３０において、当該シート材３０をポケットティッシュケース１０の外周に被覆した際にポケットティッシュケース１０の上面２０を覆う上面部３２には、ティッシュペーパー２０４を取り出すための開口部３４が設けられている。この開口部３４は、ポケットティッシュケース１０の上面２０に形成された開口部２４と略同一の形状を備えている。
【００４８】
また、上面部３２の両側にはポケットティッシュケース１０の長手方向側面１６、１８を覆う側面部３６、３８が形成されており、側面部３６の上面部３２とは反対側にポケットティッシュケース１０の底面側を覆う下面部４０ａが設けられ、同様に、側面部３８の上面部３２とは反対側にはポケットティッシュケース１０の底面側を覆う下面部４０ｂが設けられている。
【００４９】
これら下面部４０ａ、４０ｂは、ポケットティッシュケース１０とシート材３０とが組み合わせられたときに底面側を全て覆うように、上面部３２および側面部３６、３８に比べて長さＬだけ長くなっている。
【００５０】
さらに、下面部４０ａ、４０ｂには、互いに雄雌の関係にある接続部４２ａ、４２ｂが設けられている。この接続部４２ａ、４２ｂは、下面部４０ａ、４０ｂにそれぞれ設けられた切れ込みである。
【００５１】
こうしたシート材３０がポケットティッシュケース１０の外周に被覆されると、下面部４０ａ、４０ｂはポケットティッシュケース１０の底面側を覆う場所に位置し、下面部４０ｂに設けられた接続部４２ｂが下面部４０ａに設けられた接続部４２ａに挿入され、接続部４２ｂと接続部４２ａとが係止されて抜け止めが図られる。
【００５２】
従って、広告を印刷したシート材３０とポケットティッシュケース１０とを組み合わせて、ポケットティッシュケース１０の外周を広告を印刷したシート材３０で被覆すると、高級感のある広告媒体とすることができるという優れた効果を奏する。
【００５３】
次に、図１０乃至図１６を参照しながら、本考案によるポケットティッシュケースの第２の実施の形態について説明する。
【００５４】
なお、以下の説明においては、図１乃至図８を参照しながら説明した本考案によるポケットティッシュケースの第１の実施の形態と同一または相当する構成については、上記において用いた符号と同一の符号を用いて示すことにより、その構成ならびに作用の詳細な説明は適宜に省略することとする。
【００５５】
この本考案によるポケットティッシュケースの第２の実施の形態たるポケットティッシュケース５０は、上面２０が緩やかなドーム状になっている点と（図１４、図１６（ａ）、図１６（ｂ）参照）、略十字形状の開口部５２がよりなめらかな角度でより広い開口部となっており（図１０、図１２参照）、当該開口部５２にともない底面側の底板５８もより大きい板となっている点と（図１１、図１３参照）、長手方向側面１８の底面側との接続部から上面２０を経て長手方向側面１６の底面側との接続部に至るまで、幅方向側面１２側の端部と幅方向側面１４側の端部とにそれぞれポケットティッシュケース５０の長手方向に任意の幅と高さを有する凸部５４ａ、５４ｂが形成されている点において（図１０乃至図１３、図１５、図１６（ｃ）参照）、上記したポケットティッシュケース１０と異なる。
【００５６】
なお、凸部５４ａ、５４ｂの幅は、図９に示す長さＬより短く形成されている。従って、ポケットティッシュケース５０にシート材３０を被覆した際には、シート材３０は凸部５４ａ、５４ｂにより長手方向への移動が制限されて、ポケットティッシュケース１０上でシート材３０がずれ難くなる。
【００５７】
また、ポケットティッシュケース１０においては、ポケットティッシュ２００を底面側にある開口部２６から中空状の内部へ挿入するようになされていたが、ポケットティッシュケース５０のように上面２０の開口部５２が広い場合には、当該開口部５２から中空状の内部へポケットティッシュ２００を挿入するようにしてもよい。
【００５８】
さらに、図１７乃至図２０を参照しながら、上記したポケットティッシュケースの開口部の変形例を説明する。
【００５９】
なお、以下の説明においては、上記した第２の実施の形態によるポケットティッシュケース５０の説明と同様に、図１乃至図８を参照しながら説明した本考案によるポケットティッシュケースの第１の実施の形態と同一または相当する構成については、上記において用いた符号と同一の符号を用いて示すことにより、その構成ならびに作用の詳細な説明は適宜に省略することとする。
【００６０】
本考案によるポケットティッシュケースの変形例であるポケットティッシュケース６０は、一方の幅方向側面１２から上面２０を経て他の幅方向側面１４に渡って、長方形の長辺が外側に向かって緩やかに弧を描いたような開口部６２が形成されるとともに、当該開口部６２と略同一の形状を備えた底板６４が形成されている（図１７、図１８参照）。
【００６１】
また、本考案によるポケットティッシュケースの他の変形例であるポケットティッシュケース７０は、ポケットティッシュケース５０における略十字形状の開口部５２の楕円状の端部が楕円状でなくなるとともに、幅方向側面１２、１４にまでそれぞれ延長された略菱形状の開口部７２となっており、当該開口部７２と略同一の形状を備えた底板７４が形成されている（図１９、図２０参照）。
【００６２】
こうした、本考案のポケットティッシュケースによれば、
１）インジェクション金型による射出成型が可能となり、安価に量産できる、
２）単一部材により形成されていることから組み立てなどの工程がなく製造コストを抑      制することができる、
３）ポケットティッシュをポケットティッシュケースに入れることにより、ポケットテ      ィッシュを卓上で利用する場合にティッシュペーパーを１枚ずつ片手で取り出すこ      とができる程度の重さと安定性が得られる、
などといった作用効果が得られる。
【００６３】
また、本考案のポケットティッシュケースと広告を印刷したシート材と組み合わせることによって、本考案のポケットティッシュケースによれば、
４）ポケットティッシュがポケットティッシュケースに入っていることから捨てにくく      なる、
５）従来の包装だけのものより高級感が得られる、
６）高級感が得られたことから受け取る人が増える、
７）高級感が得られたことから仕事場や家庭で使用しやすくなる、
８）ポケットティッシュを使い切った後も、ポケットティッシュケースに他のポケット      ティッシュを詰め替えて使用することが可能なため、より長く広告効果を持続する      ことができる、
などといった作用効果が得られる。
【００６４】
なお、上記した実施の形態は、以下の（１）乃至（５）に説明するように変形してもよい。
【００６５】
（１）上記した実施の形態においては、ポケットティッシュケースの上面の開口部と底面側の底板とを略同一の形状として構成したが、これに限られるものでないことは勿論であり、当該開口部と当該底板とを異なる形状としてもよい。
【００６６】
（２）上記した実施の形態においては、シート材の材料として紙を用いたが、これに限られるものではないことは勿論であり、布や合成樹脂からなるフィルムを用いるようにしてもよい。布や柔らかいフィルムなどを用いる際は、接続部には金属などの小さい留め金を用いるようにしてもよい。
【００６７】
（３）上記した実施の形態においては、シート材の接続部分が互いに雄雌の関係で形成されていたが、接続部の構造は上記したものに限られるものではないことは勿論であり、これらの構成は適宜に変更可能なものである。
【００６８】
例えば、図２１に示すように、シート材の接続部分となる接続部１０２ａと接続部１０２ｂとを点対称な形状として形成し、接続部１０２ａと接続部１０２ｂとを互いに引っかけ合って接続するようにしてもよい。
【００６９】
また、例えば、ポケットティッシュケースを図２２乃至２４に示すような構成とするようにしてもよい。
【００７０】
なお、以下の説明においては、上記した第２の実施の形態によるポケットティッシュケース５０の説明と同様に、図１乃至図８を参照しながら説明した本考案によるポケットティッシュケースの第１の実施の形態と同一または相当する構成については、上記において用いた符号と同一の符号を用いて示すことにより、その構成ならびに作用の詳細な説明は適宜に省略することとする。
【００７１】
このポケットティッシュケース８０は、底板８４に略直方体形状の凸部１１０を設け、当該凸部１１０の長辺にスリット１１２ａ、１１２ｂを形成している。
【００７２】
このようなポケットティッシュケース８０を用いる場合には、シート材１３０は、図２４に示すように、シート材１３０の下面部１１６ａに略矩形形状の長辺の一辺が略半円形状に窪んだ開口部１１４ａを形成し、略半円形状に窪んだ部分をスリット１１２ａに差し込むようにする。同様に、シート材１３０の下面部１１６ｂでは、略矩形形状の長辺の一辺が略半円形状に窪んだ開口部１１４ｂを形成し、略半円形状に窪んだ部分をスリット１１２ｂに差し込むようにする。なお、開口部１１４ａと開口部１１４ｂとは窪んだ部分を左右対称に形成し、これによりポケットティッシュケース８０とシート材１３０とが確実に組み合わせられるようになる。
【００７３】
（４）上記した実施の形態においては、ポリエチレンやポリプロピレンなどの合成樹脂によりポケットティッシュケースを作成するようにしたが、これに限られるものでないことは勿論であり、広告の種類によってその広告に適したものを用いるようにしてもよい。
【００７４】
例えば、生分解性樹脂やマイナスイオンを発生する鉱石の粉末が配合された樹脂を用いるようにしてもよい。即ち、生分解性樹脂を用いることによって、環境に関連した広告の効果を高めることができ、マイナスイオンを発生する鉱石の粉末が配合された樹脂を用いることによって、健康に関連した広告の効果を高めることが期待できる。さらに、様々な香料を配合した樹脂を用いれば、幅広い広告に高い効果を期待することができる。
【００７５】
（５）上記した実施の形態ならびに上記（１）乃至（４）に示す変形例は、適宜に組み合わせるようにしてもよい。
【産業上の利用可能性】
【００７６】
本考案は、ポケットティッシュを仕事場や家庭で使用する場合や、街頭などで販売促進用にポケットティッシュを配布する場合に利用することができる。
【図面の簡単な説明】
【００７７】
【図１】図１は、本考案によるポケットティッシュケースの第１の実施の形態の上面斜視図である。
【図２】図２は、図１に示すポケットティッシュケースの底面斜視図である。
【図３】図３は、図１に示すポケットティッシュケースの平面図である。
【図４】図４は、図１に示すポケットティッシュケースの底面図である。
【図５】図５は、図１に示すポケットティッシュケースの正面図である。
【図６】図６は、図１に示すポケットティッシュケースの右側面図である。
【図７】図７（ａ）は、図１に示すポケットティッシュケースのＡ−Ａ線による断面構成説明図であり、図７（ｂ）は、図１に示すポケットティッシュケースのＢ−Ｂ線による断面構成説明図である。
【図８】図８は、図１に示すポケットティッシュケースとシート材とを組み合わせた際の外観を示す説明図である。
【図９】図９は、図８に示すシート材の展開図である。
【図１０】図１０は、本考案によるポケットティッシュケースの第２の実施の形態の上面斜視図である。
【図１１】図１１は、図１０に示すポケットティッシュケースの底面斜視図である。
【図１２】図１２は、図１０に示すポケットティッシュケースの平面図である。
【図１３】図１３は、図１０に示すポケットティッシュケースの底面図である。
【図１４】図１４は、図１０に示すポケットティッシュケースの正面図である。
【図１５】図１５は、図１０に示すポケットティッシュケースの右側面図である。
【図１６】図１６（ａ）は、図１０に示すポケットティッシュケースのＣ−Ｃ線による断面構成説明図であり、図１６（ｂ）は、図１０に示すポケットティッシュケースのＤ−Ｄ線による断面構成説明図であり、図１６（ｃ）は、図１０に示すポケットティッシュケースのＥ−Ｅ線による断面構成説明図である。
【図１７】図１７は、本考案によるポケットティッシュケースの開口部の変形例を示す上面斜視図である。
【図１８】図１８は、図１７に示すポケットティッシュケースの底面斜視図である。
【図１９】図１９は、本考案によるポケットティッシュケースの他の開口部の変形例を示す上面斜視図である。
【図２０】図２０は、図１９に示すポケットティッシュケースの底面斜視図である。
【図２１】図２１は、本考案によるポケットティッシュケースと組み合わせるシート材の接続部の変形例を示す説明図である。
【図２２】図２２（ａ）は、本考案によるシート材との接続部を有するポケットティッシュケースの平面図であり、図２２（ｂ）は、本考案によるシート材との接続部を有するポケットティッシュケースの底面図であり、図２２（ｃ）は、本考案によるシート材との接続部を有するポケットティッシュケースの正面図であり、図２２（ｄ）は、本考案によるシート材との接続部を有するポケットティッシュケースの右側面図である。
【図２３】図２３（ａ）は、図２２（ａ）に示すポケットティッシュケースのＦ−Ｆ線による断面構成説明図であり、図２３（ｂ）は、図２２（ａ）に示すポケットティッシュケースのＧ−Ｇ線による断面構成説明図であり、図２３（ｃ）は、図２２（ａ）に示すポケットティッシュケースのＨ−Ｈ線による断面構成説明図である。
【図２４】図２４は、図２２に示すポケットティッシュケースと当該ポケットティッシュケースと組み合わせられるシート材との接続を示す底面斜視図である。
【符号の説明】
【００７８】
１０、５０、６０、７０、８０        ポケットティッシュケース
１２、１４      幅方向側面
１６、１８      長手方向側面
２０        上面
２４、２６、５２、５６、６２、６６、７２、７６、８２、８６        開口部
２８、５８、６４、７４、８４        底板
３０、１３０        シート材
３２        上面部
３４        開口部
３６、３８        側面部
４０ａ、４０ｂ、１１６ａ、１１６ｂ        下面部
４２ａ、４２ｂ、１０２ａ、１０２ｂ、１１４ａ、１１４ｂ        接続部
５４ａ、５４ｂ        凸部
１１０      凸部
１１２ａ、１１２ｂ        スリット
２００      ポケットティッシュ
２０２      ミシン目状開口部
２０４      ティッシュペーパー
【図１】
0003125315.tif 000003
【図２】
0003125315.tif 000004
【図３】
0003125315.tif 000005
【図４】
0003125315.tif 000006
【図５】
0003125315.tif 000007
【図６】
0003125315.tif 000008
【図７】
0003125315.tif 000009
【図９】
0003125315.tif 000010
【図１０】
0003125315.tif 000011
【図１１】
0003125315.tif 000012
【図１２】
0003125315.tif 000013
【図１３】
0003125315.tif 000014
【図１４】
0003125315.tif 000015
【図１５】
0003125315.tif 000016
【図１６】
0003125315.tif 000017
【図１７】
0003125315.tif 000018
【図１８】
0003125315.tif 000019
【図１９】
0003125315.tif 000020
【図２０】
0003125315.tif 000021
【図２１】
0003125315.tif 000022
【図２２】
0003125315.tif 000023
【図２３】
0003125315.tif 000024
【図２４】
0003125315.tif 000025
【図８】
0003125315.tif 000026